【手続補正書】
【提出日】平成19年1月18日(2007.1.18)
【手続補正１】
【補正対象書類名】明細書
【補正対象項目名】０１５７
【補正方法】変更
【補正の内容】
【０１５７】
【図１Ａ】本発明による多孔性構造体のサンプルを示している。
【図１Ｂ】本発明による多孔性構造体のサンプルを示している。
【図１Ｃ】本発明による多孔性構造体のサンプルを示している。
【図１Ｄ−１】本発明による多孔性構造体のサンプルを示している。
【図１Ｄ−２】本発明による多孔性構造体のサンプルを示している。
【図１Ｅ】本発明による多孔性構造体のサンプルを示している。
【図１Ｆ−１】本発明による多孔性構造体のサンプルを示している。
【図１Ｆ−２】本発明による多孔性構造体のサンプルを示している。
【図１Ｇ】本発明による多孔性構造体のサンプルを示している。
【図２Ａ】本発明による多孔性シートを示している。
【図２Ｂ】本発明による多孔性シートを示している。
【図２Ｃ】本発明による多孔性シートを示している。
【図２Ｄ】図２Ａ−２Ｃの多孔性シートから形成された多孔性構造体の上面図である。
【図２Ｅ】本発明による多孔性シートを示している。
【図３Ａ】本発明による多孔性シートの代表的な実施形態を示している。
【図３Ａ−１】本発明による多孔性シートの代表的な実施形態を示している。
【図３Ｂ】本発明による多孔性シートの代表的な実施形態を示している。
【図３Ｃ】本発明による多孔性シートの代表的な実施形態を示している。
【図３Ｄ】本発明による多孔性シートの代表的な実施形態を示している。
【図４】本発明によるシートのモールド成形積層体を示している。
【図５】本発明による、開放孔領域とブランク領域を有する開放孔構造体の斜視図である。
【図６Ａ−１】本発明による多孔性構造体を形成する方法を示している。
【図６Ａ−２】一連の開放孔シートと、本発明による積み重ねられたシートの開放孔構造体の、或る実施形態を示している。
【図６Ｂ】本発明による開放孔シートと開放孔シート構造体の実施形態を示している。
【図７Ａ】本発明の多孔性構造体を示している。
【図７Ｂ】本発明の多孔性構造体を示している。
【図７Ｃ】本発明の多孔性構造体を製造するための固定具の或る実施形態を示している。
【図７Ｄ】本発明の多孔性構造体を製造するための固定具の或る実施形態を示している。
【図８Ａ】本発明による代表的な多孔性構造体を示している。
【図８Ｂ】本発明による代表的な多孔性構造体を示している。
【図８Ｃ】本発明による代表的な多孔性構造体を示している。
【図９】本発明による、多孔度が異なり、中実の区画で分割されている２つの側部を有する開放孔の或る実施形態の断面を示している。
【図１０】本発明によるポリマーが注入された部分を含む代表的な多孔性構造体を示している。
【図１１Ａ】本発明による多孔性構造体を含む脊椎移植片の或る実施形態を示している。
【図１１Ｂ】本発明による多孔性構造体を含む脊椎移植片の或る実施形態を示している。
【図１１Ｃ】本発明の多孔性構造体を含む脊椎移植片の実施形態を示している。
【図１１Ｄ】本発明の多孔性構造体を含む脊椎移植片の実施形態を示している。
【図１１Ｅ】本発明の多孔性構造体を含む脊椎移植片の実施形態を示している。
【図１１Ｆ】本発明の多孔性構造体を含む脊椎移植片の実施形態を示している。
【図１１Ｇ】本発明による多孔性シートの実施形態を示している。
【図１１Ｈ】本発明による多孔性シートの実施形態を示している。
【図１２Ａ】本発明による構造体のボール／ソケット・ジョイントの或る実施形態を示している。
【図１２Ｂ】本発明による多孔性構造体を含む臀部と膝部の移植片を示している。
【図１２Ｃ】本発明による多孔性構造体を含む臀部と膝部の移植片を示している。
【図１２Ｄ】本発明による多孔性構造体を含む臀部と膝部の移植片を示している。
【図１２Ｅ】本発明による多孔性構造体を含む臀部と膝部の移植片を示している。
【図１２Ｆ】本発明の多孔性構造体を含む装置の或る実施形態を示している。
【図１２Ｇ】本発明の多孔性構造体を含む装置の或る実施形態を示している。
【図１２Ｈ】本発明の多孔性構造体を含む膝蓋骨ボタンの或る実施形態を示している。
【図１２Ｉ】本発明の多孔性構造体を含む膝蓋骨ボタンの或る実施形態を示している。
【図１３Ａ】本発明によるポリマーが注入された多孔性構造体を示している。
【図１３Ｂ】本発明によるポリマーが注入された多孔性構造体の断面を示している。
【図１３Ｃ】本発明によるハイブリッド多孔性構造体を示している。
【図１３Ｄ】本発明によるハイブリッド多孔性構造体を示している。
【図１３Ｅ】本発明によるハイブリッド多孔性構造体を示している。
【図１４Ａ】本発明による多孔性構造体を有する歯科用移植片の或る実施形態を示している。
【図１４Ｂ】本発明による多孔性構造体を有する歯科用移植片の或る実施形態を示している。
【図１４Ｃ】本発明による多孔性構造体を有する歯科用移植片の或る実施形態を示している。
【図１４Ｄ】本発明による中実核部分を有する多孔性構造体の或る実施形態を示している。
【図１４Ｅ】本発明による多孔性構造体を有する歯科用移植片の或る実施形態を示している。
【図１５】本発明による多孔性円板構造体の或る実施形態を示している。
【図１６Ａ】本発明による非多孔性構造体に融合されている多孔性構造体の或る実施形態を示している。
【図１６Ｂ】本発明による多基板複合材の或る実施形態を示している。
【図１６Ｃ】本発明による多基板複合材の或る実施形態を示している。
【図１６Ｄ】本発明による多基板複合材の或る実施形態を示している。
【図１７】本発明による多孔性構造体を含む指頭移植片の或る実施形態を示している。
【図１８Ａ】本発明による多孔性構造体を含む指頭移植片の或る実施形態を示している。
【図１８Ｂ】本発明による多孔性構造体を含む指頭移植片の或る実施形態を示している。
【図１８Ｃ】本発明による多孔性構造体を含む指頭移植片の或る実施形態を示している。
【図１９Ａ】本発明による多孔性構造体を含む肩移植片の或る実施形態を示している。
【図１９Ｂ】本発明による多孔性構造体を含む肩移植片の或る実施形態を示している。
【図２０Ａ】本発明による多孔性構造体を含む締結具の実施形態を示している。
【図２０Ｂ】本発明による多孔性構造体を含む締結具の実施形態を示している。
【図２０Ｃ】本発明による多孔性構造体を含む締結具の実施形態を示している。
【図２０Ｄ】本発明による多孔性構造体を含む締結具の実施形態を示している。
【図２１】本発明による、ベアリング要素を含む多孔性構造体の或る実施形態を示している。
【図２２】本発明による陰性スポンジ構造体の或る実施形態を示している。
【図２３Ａ】本発明による複合構造体の或る実施形態を示している。
【図２３Ｂ】本発明による複合構造体の或る実施形態を示している。
【図２３Ｃ】本発明による複合構造体の或る実施形態を示している。
【図２３Ｄ】本発明による複合構造体の或る実施形態を示している。
【図２３Ｅ】本発明による複合構造体の或る実施形態を示している。
【図２４】本発明による複合構造体の或る実施形態を示している。
【手続補正２】
【補正対象書類名】図面
【補正対象項目名】全図
【補正方法】変更
【補正の内容】
【図１Ｄ−１】
2006528515.tif 000001
【図１Ｄ−２】
2006528515.tif 000002
【図１Ｅ】
2006528515.tif 000003
【図１Ｇ】
2006528515.tif 000004
【図２Ａ】
2006528515.tif 000005
【図２Ｂ】
2006528515.tif 000006
【図２Ｃ】
2006528515.tif 000007
【図２Ｄ】
2006528515.tif 000008
【図２Ｅ】
2006528515.tif 000009
【図３Ａ】
2006528515.tif 000010
【図３Ａ−１】
2006528515.tif 000011
【図３Ｂ】
2006528515.tif 000012
【図３Ｃ】
2006528515.tif 000013
【図３Ｄ】
2006528515.tif 000014
【図４】
2006528515.tif 000015
【図６Ａ−１】
2006528515.tif 000016
【図６Ａ−２】
2006528515.tif 000017
【図６Ｂ】
2006528515.tif 000018
【図７Ａ】
2006528515.tif 000019
【図７Ｂ】
2006528515.tif 000020
【図７Ｃ】
2006528515.tif 000021
【図７Ｄ】
2006528515.tif 000022
【図１１Ｄ】
2006528515.tif 000023
【図１１Ｅ】
2006528515.tif 000024
【図１１Ｆ】
2006528515.tif 000025
【図１１Ｇ】
2006528515.tif 000026
【図１１Ｈ】
2006528515.tif 000027
【図１２Ｂ】
2006528515.tif 000028
【図１２Ｃ】
2006528515.tif 000029
【図１２Ｄ】
2006528515.tif 000030
【図１２Ｅ】
2006528515.tif 000031
【図１２Ｆ】
2006528515.tif 000032
【図１２Ｇ】
2006528515.tif 000033
【図１２Ｈ】
2006528515.tif 000034
【図１２Ｉ】
2006528515.tif 000035
【図１３Ｄ】
2006528515.tif 000036
【図１３Ｅ】
2006528515.tif 000037
【図１４Ａ】
2006528515.tif 000038
【図１４Ｂ】
2006528515.tif 000039
【図１４Ｃ】
2006528515.tif 000040
【図１６Ｃ】
2006528515.tif 000041
【図１６Ｄ】
2006528515.tif 000042
【図１７】
2006528515.tif 000043
【図１８Ａ】
2006528515.tif 000044
【図１８Ｂ】
2006528515.tif 000045
【図１８Ｃ】
2006528515.tif 000046
【図１９Ａ】
2006528515.tif 000047
【図１９Ｂ】
2006528515.tif 000048
【図２０Ｃ】
2006528515.tif 000049
【図２０Ｄ】
2006528515.tif 000050
【図２１】
2006528515.tif 000051
【図２３Ａ】
2006528515.tif 000052
【図２３Ｂ】
2006528515.tif 000053
【図２３Ｃ】
2006528515.tif 000054
【図２３Ｄ】
2006528515.tif 000055
【図２３Ｅ】
2006528515.tif 000056
【図２４】
2006528515.tif 000057
【図１Ａ】
2006528515.tif 000058
【図１Ｂ】
2006528515.tif 000059
【図１Ｃ】
2006528515.tif 000060
【図１Ｆ−１】
2006528515.tif 000061
【図１Ｆ−２】
2006528515.tif 000062
【図５】
2006528515.tif 000063
【図８Ａ】
2006528515.tif 000064
【図８Ｂ】
2006528515.tif 000065
【図８Ｃ】
2006528515.tif 000066
【図９】
2006528515.tif 000067
【図１０】
2006528515.tif 000068
【図１１Ａ】
2006528515.tif 000069
【図１１Ｂ】
2006528515.tif 000070
【図１１Ｃ】
2006528515.tif 000071
【図１２Ａ】
2006528515.tif 000072
【図１３Ａ】
2006528515.tif 000073
【図１３Ｂ】
2006528515.tif 000074
【図１３Ｃ】
2006528515.tif 000075
【図１４Ｄ】
2006528515.tif 000076
【図１４Ｅ】
2006528515.tif 000077
【図１５】
2006528515.tif 000078
【図１６Ａ】
2006528515.tif 000079
【図１６Ｂ】
2006528515.tif 000080
【図２０Ａ】
2006528515.tif 000081
【図２０Ｂ】
2006528515.tif 000082
【図２２】
2006528515.tif 000083